(57)【要約】  【課題】  スタートストップスイッチを押しやすくすること。  【解決手段】  ミシン本体１、８の固定位置に設置された第１のスタートストップスイッチ３，１０とは別に、ミシン本体１，８に対して着脱可能な第２のスタートストップスイッチ４を設けた。また、第２のスタートストップスイッチ４の信号を受け取る回路をミシン制御回路２０，３０の中に設け、これによりミシンを作動するモーター駆動回路２１，３１を制御するようにした。【選択図】  図１
2008079797.tif 000002
【特許請求の範囲】
【請求項１】
ミシン本体に固定された第１のスタートストップスイッチと、前記ミシン本体に着脱可能に設けられた第２のスタートストップスイッチとを有するミシン。
【請求項２】
前記第２のスタートストップスイッチのミシン本体側の面には前記ミシン本体に対して着脱可能な付着部材を設けた、請求項１に記載のミシン。
【請求項３】
前記付着部材は、磁石、吸盤および両面テープのいずれかである、請求項２に記載のミシン。
【請求項４】
前記第２のスタートストップスイッチは有線方式であって、前記第２のスタートストップスイッチから出ているコードの先端に、前記ミシン本体と連結するための連結体を設け、前記ミシン本体に設けられた結合体に前記連結体が挿入される、請求項１に記載のミシン。
【請求項５】
前記第２のスタートストップスイッチは無線方式であって、前記第２のスタートストップスイッチの中に設けられた信号を発信する発信回路と、前記ミシン本体に設けられた前記信号を受信するの受信回路とを備えた、請求項１に記載のミシン。
【請求項６】
前記第２のスタートストップスイッチからの信号が、前記第１のスタートストップスイッチからの信号より優先される、請求項１に記載のミシン。
【発明の詳細な説明】
【技術分野】
【０００１】
本発明は、スタートストップスイッチを有するミシンに関するものである。
【背景技術】
【０００２】
従来、特許文献１に示すように、ミシンのスタートストップスイッチとしては立ち作業を行うミシンでは足踏みペダル式が知られている。その他に制御盤に装着されている、スタートストップスイッチや、一般家庭で使われるミシンでは、ミシンのあご部に固定式に装着されているスタートストップスイッチ、または足踏み式でスタートストップするスイッチが知られている。
【特許文献１】特開平６−３１２０７７号公報
【発明の開示】
【発明が解決しようとする課題】
【０００３】
特許文献１に開示された従来のミシンでは固定式スタートストップスイッチのため、縫製中、糸が切れたり、使用者が変わったりした場合、スタートストップスイッチは押しにくい場合がある。
【０００４】
また例えば一般家庭用ミシンにおいてはミシン本体のあご部に固定的にスタートストップスイッチが装着されているため、両手で作業していて、縫製中糸が切れたり、人に呼ばれたりして、あわててミシンを止めようとしたとき、スタートストップスイッチは押しにくい場合がある。
【０００５】
本発明はミシンのスタートストップスイッチを押しやすい位置に設置できることを課題としたものである。
【課題を解決するための手段】
【０００６】
上記の課題を解決するために講じた技術的手段は、請求項１に記載のように、「ミシン本体に固定して装着された第１のスタートストップスイッチとは別に、どこにでも着脱可能に設けられた第２のスタートストップスイッチを設けたことを特徴としたミシン」を構成したことである。
【０００７】
請求項２に示すように、前記第２のスタートストップスイッチのミシン本体側の面には前記ミシン本体に対して着脱可能な付着部材を設けるのが好ましい。この場合、付着部材としては、請求項３に示すような、磁石、吸盤および両面テープを採用できる。
【０００８】
また、前記第２のスタートストップスイッチは、請求項４が示す有線方式であっても良いし、請求項５が示す無線方式であっても良い。前者の場合は、前記第２のスタートストップスイッチから出ているコードの先端に、前記ミシン本体と連結するための連結体を設け、前記ミシン本体に設けられた結合体に前記連結体が、挿入される。後者の場合は、前記第２のスタートストップスイッチの中に設けられた信号を発信する発信回路と、前記ミシン本体に設けられた前記信号を受信するための受信回路とが備えられる。
【０００９】
更に、請求項６に示すように、前記第２のスタートストップスイッチからの信号が、前記第１のスタートストップスイッチからの信号より優先されるようにするのが好適である。
【発明の効果】
【００１０】
請求項１で定義されるミシンでは、ミシン本体に固定的に装着された第１のスタートストップスイッチ以外に、着脱可能に第２のスタートストップスイッチを設けたため、使用者が使いやすい位置に第２のスタートストップスイッチを設置でき、使用者の作業性が良くなり、使用者の疲労も減らすことができる。この利便性は、請求項２が定義する第２のスタートストップスイッチの底面に、着脱可能な付着部材を設けたことにより倍加される。しかして請求項３で示されるような付着部材として、磁石、吸盤および両面テープのいずれかの採用により、この着脱自在構造を容易に構成できる。
【００１１】
また、請求項４や請求項５で示されるように、第２のスタートストップスイッチを有線方式としたり無線方式としたりすることで、作業環境に応じた利便性を確保できる。更に、第２のスタートストップスイッチに第１のスタートストップスイッチに対する優先度を付与することにより、緊急時の処置を、間髪をいれずに行え、実用上、多大な効果を奏する。
【発明を実施するための最良の形態】
【００１２】
以下、本発明のスタートストップスイッチを適用したミシンについて説明する。
【００１３】
図１は本発明の第１の実施形態に係わるミシンの正面図である。１は主に一般家庭で使用されるミシンの本体である。ミシン本体１には一般的にアームのあご部２にミシンの第１のスタートストップスイッチ３が固定して装着されており、この第１のスタートストップスイッチ３によりミシン本体１のスタートストップを行っている。
【００１４】
図２は、着脱可能な第２のスタートストップスイッチ４で、５は第２のスタートストップスイッチ４から出ているコードである。第２のスタートストップスイッチ４のミシン本体側の面つまり底面部４ａには、磁石、吸盤、両面テープおよび、その他の着脱部材が設けられている。６はコード５の先端に設けられ、ミシン本体１に設けられた結合体７と接続して、第２のスタートストップスイッチ４の信号をミシン本体１のミシン制御回路２０に伝える連結体である。
【００１５】
図３は第１の実施形態のミシンの制御関係の概略構成を示すブロック図であり、ミシン制御回路２０にミシン本体１に固定された、第１のスタートストップスイッチまたは第２のスタートストップスイッチ４よりの信号が入力された場合、ミシンモータ駆動回路２１を制御する。
【００１６】
次に図４に示されたフローチャートを参照して第１の実施形態のミシンの動作について説明する。
【００１７】
ミシン本体１に固定された第１のスタートストップスイッチ３を押す（Ｓ１）、または第２のスタートストップスイッチ４を押す（Ｓ２）とミシンが作動（Ｓ３）する。第１および第２のスタートストップスイッチ３、４が双方とも押されなければミシンは作動しない。
【００１８】
ミシンを停止したいときには、ミシン作動中にミシン本体１に固定された第１のスタートストップスイッチ３を押す（Ｓ４）、または第２のスタートストップスイッチ４を押す（Ｓ５）のどちらか一方のスタートストップスイッチを押せば、ミシンが停止（Ｓ７）する。ただし、どちらかのスタートストップスイッチが押されない限り、ミシンは作動しつづける。
【００１９】
尚、糸切れなどの緊急事態や急用で、第１のスタートストップスイッチ３および、第２のスタートストップスイッチ４を押してミシンを停止させた場合、緊急事態や急用がすんで再度ミシンを作動させたい場合は、第１のスタートストップスイッチ３を押す（Ｓ１）、または、第２のスタートストップスイッチ４を押す（Ｓ２）とミシンが作動（Ｓ３）し、縫製作業を続けることができる。
【００２０】
以上のような構成のため、使用者は、ミシンの作動、停止をミシン本体１のあご部に装着された第１のスタートストップスイッチ３以外にミシン本体１の自分の操作しやすい位置やミシン本体１を置いているテーブル等に第２のスタートストップスイッチ４を設置できる。このため糸切れ等で速やかにミシンを止めたいときなどには、第２のスタートストップスイッチ４を押してミシン本体１を停止させることができ、緊急時の処置を間髪いれずに処置が行える。
【００２１】
図５は、本発明の第２の実施形態に係わる刺繍機ミシンの正面図である。８は刺繍機という特別形態のミシンの本体である。９は刺繍機ミシン本体８の操作ボックスで、１０は操作ボックス９に固定して設置された刺繍機ミシン本体８の第１のスタートストップスイッチである。４は第２のスタートストップスイッチで、５はコード、７は刺繍機ミシン本体８の操作ボックス９に設けられ、第２のスタートストップスイッチ４に接続されたコード５の先端に設けられた連結体６を接続するための結合体である。
【００２２】
図６は第２の実施形態の刺繍機ミシンの制御関係の概略構成を示すブロック図であり、刺繍機ミシン制御回路３０に操作ボックス９に設置された第１のスタートストップスイッチ１０、および第２のスタートストップスイッチ４の信号により刺繍機ミシンモータ駆動回路３１を制御する。
【００２３】
尚、第２の実施形態の刺繍機ミシンの動作を示すフローチャートについては、図４の第１の実施形態のミシンのフローチャートにおいて、ミシン作動（Ｓ３）を刺繍機ミシン駆動に、ミシン停止（Ｓ６）を刺繍機ミシン停止に言葉を置き換えれば、第１のスタートストップスイッチを押す（Ｓ１）、（Ｓ４）や、第２のスタートストップスイッチを押す（Ｓ２）、（Ｓ５）の動作をすれば刺繍機ミシンの動作はミシンと同様な動作をするので、刺繍機ミシンのフローチャートは省略する。
【００２４】
以上のような構成のため作業者は自分の使いやすい位置に着脱可能な第２のスタートストップスイッチ４をミシン本体１またはテーブルなどに設置できるため、ミシン本体１のスタートストップがやりやすくなり、作業者が変更になった場合や、刺繍機ミシン本体８の配置換えなどの時には、第２のスタートストップスイッチ４の設置位置を変更し作業者ごと、あるいは刺繍機ミシン本体８の配置ごとに、刺繍機ミシン本体８の作動、停止をすることができる。
【００２５】
なお、ミシン本体１および刺繍機ミシン本体８いずれの場合にも、ミシン本体１および刺繍機ミシン本体８に設置された第１のスタートストップミシンより、第２のスタートストップミシン４からの信号の方が優先されてミシンの作動、停止が行われる。
【００２６】
このため、糸切れ等で急いでミシンを停止させなければならないときなど、第２のスタートストップスイッチを押せばミシンが停止するので、使用者や作業者はあわてることなく、ミシンを速やかに停止することができ、緊急時の処置を間髪いれずに処置が行え、縫製の失敗などがすばやく修正できる。
【００２７】
また無線方式の場合、第１の実施形態のミシンおよび第２の実施形態の刺繍機ミシンとも、コード５や、連結体６、結合体７は無く、着脱可能な第２のスタートストップスイッチ４の中にスイッチが押されたことを発信する発信回路と、ミシン制御回路２０および刺繍機ミシン制御回路３０の中に、第２のスタートストップスイッチ４が押されたことを受信する受信回路（図示せず）が、それぞれに備えられている。
【００２８】
このような構成のため使用者および作業者は、ミシンの稼動部や糸などにコード５が絡まる不具合が無く、コード５の長さも気にしなくていいので、第２のスタートストップスイッチを設置する範囲が有線方式より広範囲に設定できる。特に縫製工場などでは作業者が、第２のスタートストップスイッチ４を所持して、刺繍機ミシン本体８の操作をすることもできる。
【図面の簡単な説明】
【００２９】
【図１】本発明の第１の実施形態に係わるミシンの正面図である。
【図２】本発明の図１および図５に装着する第２のスタートストップスイッチの斜視図である。
【図３】本発明の第１の実施形態のミシンの制御回路の概略構成を示すブロック図である。
【図４】本発明の第１の実施形態のミシンの動作を説明するためのフローチャートである。
【図５】本発明の第２の実施形態に係わる刺繍機ミシンの正面図である。
【図６】本発明の第２の実施形態の刺繍機ミシンの制御回路の概略構成を示すブロック図である
【符号の説明】
【００３０】
１  ：ミシン本体
３  ：第１のスタートストップスイッチ
４  ：第２のスタートストップスイッチ
６  ：連結体
７  ：結合体
８  ：刺繍機ミシン本体
９  ：操作ボックス
１０：第１のスタートストップスイッチ
２０：ミシン制御回路
２１：ミシンモータ駆動回路
３０：刺繍機ミシン制御回路
３１：刺繍機ミシンモータ駆動回路
３２：操作回路
【図１】
2008079797.tif 000003
【図２】
2008079797.tif 000004
【図３】
2008079797.tif 000005
【図４】
2008079797.tif 000006
【図５】
2008079797.tif 000007
【図６】
2008079797.tif 000008